(57)【要約】  無線通信ネットワークで動作するネットワークノード及び無線デバイスであって、無線デバイスへの送信のためにバッファされたデータの量又はタイプに基づき、第２スケジューリング帯域幅が必要であるかが判定される。無線デバイスの受信機帯域幅の再構成は、第２スケジューリング帯域幅に適合させるために開始され、第２スケジューリング帯域幅は、無線デバイスに現在関連付けられている第１スケジューリング帯域幅より大きく、第１及び第２スケジューリング帯域幅は、それぞれ、無線デバイスへのスケジューリング送信に使用される帯域幅を定義する。方法及びコンピュータプログラムも開示される。
2019531020.tif 000002
【特許請求の範囲】
【請求項１】
無線通信ネットワークで動作する様に構成された無線通信デバイスであって、
前記無線通信ネットワークのサービングノードから信号を受信する様に構成され、動的に構成可能な帯域幅を有する受信機回路と、
前記受信機回路と動作可能に関連付けられる処理回路であって、前記処理回路は、
第１受信機帯域幅から第２受信機帯域幅に前記受信機回路を変更することの表示の受信を監視することを含む、前記第１受信機帯域幅で前記受信機回路を動作させ、
前記表示の受信に応答して、前記第２受信機帯域幅で動作する様に前記受信機回路を再構成し、
第２受信機帯域幅での動作中において、前記第１受信機帯域幅に戻すことの更なる表示の受信、データ受信の度に開始又は再開される受信非活性化タイマの終了、及び、前記無線通信ネットワークのネットワークノードから再構成トリガ又はシグナリングの受信の少なくとも１つまで、前記第２受信機帯域幅で前記受信機回路を動作させる様に構成されている、無線通信デバイス。
【請求項２】
請求項１に記載の無線通信デバイスであって、
前記処理回路は、さらに、前記無線通信ネットワークから帯域幅構成情報を受信する様に構成され、前記帯域幅構成情報は、前記第１受信機帯域幅、前記第２受信機帯域幅、及び、前記受信非活性化タイマの少なくとも１つを示す、無線通信デバイス。
【請求項３】
請求項１又は２に記載の無線通信デバイスであって、
前記受信機回路が前記第１受信機帯域幅で動作している場合、前記処理回路は、前記第１受信機帯域幅に含まれるスペクトラム内で送信される制御チャネル及び／又は関連するデータチャネルを監視する様に構成され、前記受信機回路が前記第２受信機帯域幅で動作している場合、前記処理回路は、前記第２受信機帯域幅に含まれるスペクトラム内で送信される制御チャネル及び／又は関連するデータチャネルを監視する様に構成される、無線通信デバイス。
【請求項４】
請求項１から３のいずれか１項に記載の無線通信デバイスであって、
前記第２受信機帯域幅は、前記第１受信機帯域幅より大きい、無線通信デバイス。
【請求項５】
請求項４に記載の無線通信デバイスであって、
スケジュールされた帯域幅の変更の表示を提示する前記ネットワークノードから、前記再構成トリガ又はシグナリングを受信するまで、前記第２受信機帯域幅が前記受信機回路の動作に使用され、前記無線通信デバイスは、受信機帯域幅を選択又は再選択する様に構成される、無線通信デバイス。
【請求項６】
請求項５に記載の無線通信デバイスであって、
前記受信非活性化タイマは、前記再構成トリガ又はシグナリングの受信に基づき開始又は再開される、無線通信デバイス。
【請求項７】
請求項１から６のいずれか１項に記載の無線通信デバイスであって、
前記第２受信機帯域幅から前記第１受信機帯域幅に戻す様に変更すると共に、前記処理回路は、少なくとも前記第１受信機帯域幅及び前記第２受信機帯域幅に共通のスペクトラムを使用した送信であって、前記受信機回路が前記第２受信機帯域幅で動作している間に開始された前記送信の受信を継続する様に構成される、無線通信デバイス。
【請求項８】
請求項１から７のいずれか１項に記載の無線通信デバイスであって、
前記受信機回路が前記第１受信機帯域幅で動作している場合、前記受信機回路が前記第２受信機帯域幅で動作している場合と比較して、前記処理回路は、電力低減のために、フィルタリング、アナログ・デジタル変換、及び／又は、局所発振器の設定の１つ以上を制御する様に構成される、無線通信デバイス。
【請求項９】
請求項１から８のいずれか１項に記載の無線通信デバイスであって、
前記無線通信ネットワークに信号を送信する様に構成された送信機回路をさらに備え、
前記処理回路は、前記送信機回路を介して、能力情報を前記無線通信ネットワークに送信する様に構成され、前記能力情報は、受信機帯域幅再構成に関する前記無線通信デバイスの１つ以上の能力を示す、無線通信デバイス。
【請求項１０】
無線通信ネットワークで動作する様に構成されたネットワークノードであって、
無線デバイスへの送信のためにバッファされたデータの量又はタイプに基づき、第２スケジューリング帯域幅が必要かを判定し、前記第２スケジューリング帯域幅に適合させるために、前記無線デバイスの受信機帯域幅の再構成を開始する様に構成された処理回路を備え、
前記第２スケジューリング帯域幅は、前記無線デバイスに現在関連付けられている第１スケジューリング帯域幅より大きく、前記第１スケジューリング帯域幅及び前記第２スケジューリング帯域幅は、それぞれ、前記無線デバイスへのスケジューリング送信に使用される帯域幅を定義する、ネットワークノード。
【請求項１１】
無線通信ネットワークで動作する様に構成されたネットワークノードであって、
前記無線通信ネットワークで動作する無線デバイスと直接的、或いは、間接的に通信する様に構成された通信回路と、
前記通信回路と動作可能に関連付けられる処理回路であって、前記処理回路は、
前記無線デバイスへのスケジューリング送信のために第１スケジューリング帯域幅で動作し、
前記無線デバイスに送信されるデータの量又はタイプに応じて、前記無線デバイスへのスケジューリング送信のために、前記第１スケジューリング帯域幅から第２スケジューリング帯域幅への変更を決定し、
前記決定に応答して、前記第２スケジューリング帯域幅に適合する様に、前記無線デバイスに受信機帯域幅変更させる再構成シグナリングを送信し、
前記無線デバイスへのスケジューリング送信のために前記第２スケジューリング帯域幅で動作する様に構成される、ネットワークノード。
【請求項１２】
請求項１１に記載のネットワークノードであって、
前記処理回路は、前記第１スケジューリング帯域幅から前記第２スケジューリング帯域幅への変更後、かつ、前記第２スケジューリング帯域幅による前記無線デバイスへのスケジューリング送信の前に、定義された期間だけ待機する様に構成される、ネットワークノード。
【請求項１３】
請求項１２に記載のネットワークノードであって、
前記定義された期間は、その受信機帯域幅を再構成する前記無線デバイスに関連付けられた前記無線デバイスでの再構成遅延に対応する、ネットワークノード。
【請求項１４】
請求項１１から１３のいずれか１項に記載のネットワークノードであって、
前記ネットワークノードは、前記第２スケジューリング帯域幅から前記第１スケジューリング帯域幅に戻す、ネットワークノード。
【請求項１５】
請求項１４に記載のネットワークノードであって、
前記ネットワークノードは、前記第２スケジューリング帯域幅の使用がもはや必要ないと判定することに応答して、前記第１スケジューリング帯域幅に戻す、ネットワークノード。
【請求項１６】
請求項１１に記載のネットワークノードであって、
前記無線デバイスに、変更後のスケジュールされた帯域幅の表示を提供する再構成トリガ又はシグナリングを提示する、
１つの帯域幅から別の帯域幅への変更の経時する、或いは、前記変更を管理する機構のタイマの終了に応じて、前記変更後のスケジュールされた帯域幅に戻す、
前記変更後の帯域幅で動作する、
のいずれかにより、前記第２スケジューリング帯域幅での動作から戻る様に構成される、ネットワークノード。
【請求項１７】
請求項１から９のいずれか１項に記載の無線通信デバイスの特徴を実行するステップを含む、無線通信デバイスでの方法。
【請求項１８】
請求項１１から１６のいずれか１項に記載のネットワークノードの特徴を実行するステップを含む、ネットワークノードでの方法。
【請求項１９】
無線通信デバイスのプロセッサで実行されると、前記無線通信デバイスに請求項１７に記載の方法を実行させる命令を含む、コンピュータプログラム。
【請求項２０】
ネットワークノードのプロセッサで実行されると、前記ネットワークノードに請求項１８に記載の方法を実行させる命令を含むコンピュータプログラム。
【発明の詳細な説明】
【技術分野】
【０００１】
本発明は、概して、無線通信に関し、より詳しくは、無線デバイスへのスケジュール送信のために使用されるスケジューリング帯域幅を適応させることと、無線デバイスにより使用される受信機帯域幅の対応する適応に関する。
【背景技術】
【０００２】
現在のセルラロングタームエボリューション（ＬＴＥ）規格は、１．４ＭＨｚから２０ＭＨｚまでのフレキシブルな帯域幅（ＢＷ）と、キャリアアグリゲーションを使用してのより広い帯域幅と、をサポートしている。３ＧＰＰでの用語"ＵＥ"の様な無線デバイスが、ｅノードＢの様なネットワーク（ＮＷ）ノードに接続するために、無線デバイスは、使用するシステム帯域幅と同様にセルのキャリア周波数を決定しなければならない。さらに、現在のＬＴＥ規格において、ＮＷノード及び無線デバイスは、同じシステムＢＷをサポートし、同じシステムＢＷを使用して接続するとの要求がある。ここで、無線デバイスは、ＮＷの全システムＢＷに渡り、関連する制御メッセージをサーチしなければならない。
【０００３】
ＮＲと表記される、来たる５Ｇでの新たな無線アクセス技術において、各ノードのシステム帯域幅についてのより総括的なアプローチが望まれている。ＮＲは、複数タイプの無線デバイスをサポートすべきである。デバイスタイプの範囲は、例えば、数ＧＨｚまでのシステムＢＷをサポートすることができるハイエンドモバイルブロードバンド（ＭＢＢ）デバイス、１００ｋＨｚ又は数ＭＨｚのＢＷをサポートし得る低コスト及び低電力のマシン型通信（ＭＴＣ）デバイスを含む。
【発明の概要】
【発明が解決しようとする課題】
【０００４】
よって、ＮＲシステムに望まれる能力の１つは、各無線デバイスへの"スケジューリング"ＢＷ割り当ての柔軟性である。ここで、"スケジューリングＢＷ"は、ネットワークにより判定され、無線デバイスにシグナリングされるＢＷであり、無線デバイスは、受信ＢＷを適用し、受信ＢＷ内において制御チャネルをサーチし得る。特に、ＬＴＥの以前のリリース（及び他のより以前の世代のネットワーク規格）に対して、ＮＲシステムは、任意の位置の任意のデバイスに、サポートＮＷノードのために構成された全システムＢＷ内の"スケジューリング"帯域幅を割り当てる能力を有するべきと認識される。割当てられたスケジューリング帯域幅は、デバイスによりサポートされるＢＷ以下であり得る。
【０００５】
ｅＭＴＣは、３ＧＰＰによるリリース１３の部分であり、とりわけ、上りリンク及び下りリンクのより少ない帯域幅、より低いデータレート、低減された送信電力を提供し、少なくともある種のＭＴＣデバイスにとってそれらは利点である。ｅＭＴＣは、ＭＴＣデバイスが接続するサポートＮＷノードのシステムＢＷより小さいＢＷで動作可能に拡張するが、固定的な１．４ＭＨｚのＢＷを使用することに基づくため、そのアプローチは、ＮＲシステムに必要な柔軟性に欠ける。
【０００６】
よって、フレキシブルなスケジューリングＢＷ割り当てをサポートするため、ＮＲネットワークと、当該ＮＲネットワークにおいて動作するデバイスとの間に必要なシグナリングを提供する方法及び装置の必要性の存在が認識される。
【課題を解決するための手段】
【０００７】
本発明の態様は、添付の独立請求項により提供され、その実施形態は、従属項で定義される。
【０００８】
本開示の一態様において、無線通信ネットワークは、無線デバイスへの送信に割り当てるスケジューリング帯域幅を動的に適応させ、それに応じて、デバイスにより使用される受信機帯域幅の補完的な再構成を制御又は開始する。本開示の他の態様において、無線デバイスは、デバイスへの送信のためにネットワークにより使用されるスケジューリング帯域幅に適合させる様に、その受信機帯域幅を動的に適応させる。
【０００９】
例示的なシナリオ又は実装において、ネットワークは、デバイスから、その受信機帯域幅の動的な適応のサポートを示す能力情報を受信する。能力情報は、デバイスでの帯域幅の適応性の特性又は範囲を示し、ネットワークの１つ以上のノードは、選択ベースで、デバイスが使用する第１及び第２受信機帯域幅を構成するために、リポートされた能力情報を使用し得る。ネットワークは、高次帯域幅構成から低次帯域幅構成にフォールバックするためにデバイスが使用する第１受信不活性化タイマと、受信機回路を低電力又は電源オフモードにするために使用される第２受信不活性化タイマの様な、タイミングパラメータも判定し得る。その様な動作は、デバイスでの不連続受信（ＤＲＸ）サイクル動作で実行され得る。
【００１０】
例示的なシナリオ又は実装を継続して述べると、ネットワークは、デバイスにデータを送信するための第１スケジューリング帯域幅を割り当て、より広い帯域幅が必要と決定されるまで、或いは、決定されない限り、少なくとも一時的に第１スケジューリング帯域幅により動作し得る。上記決定に応答して、ネットワークは、デバイスへの送信のためにより広い第２帯域幅を割り当て、デバイスにその変更をシグナリングする。デバイスにより受信される再構成シグナリングは、より広い第２スケジューリング帯域幅に適合する様に、デバイスに、その受信機帯域幅を再構成させる。切り替え時、デバイスがその受信機回路を再構成する時間を与えるため、ネットワークは、第２スケジューリング帯域幅での総ての送信を遅延し、デバイスは、第１受信機帯域幅に戻すために、上述した受信不活性化タイマを使用し得る。
【００１１】
上述した様に、第１受信機帯域幅及び第２受信機帯域幅の詳細は、デバイスから受信する能力情報に基づき（又は、他の実施形態において、初期値若しくは既知の能力に基づき）、ネットワークにより構成され、構成シグナリングが、第１受信機帯域幅及び第２受信機帯域幅の詳細を特定するために、ネットワークからデバイスに送信され得る。このアプローチにおいて、例えば、デバイスが第１受信機帯域幅での動作から第２受信機帯域幅での動作に変更すべきことを示す、ネットワークからデバイスへの簡易表示の様な、低オーバヘッド再構成シグナリングが使用できる。
【００１２】
帯域幅適応化をいつ行うかを決定するために、例えば、１つ以上の実施形態においては、デバイスにサービス提供するネットワークノードが、デバイスへの送信のためにバッファされているデータの量、サイズ、又は、特性に応じて、より広いスケジューリング帯域幅割り当てに変更するかを決定する。追加して、或いは、代わりに、サービングノードによる送信のためにサービングノードに入力されるデータレートが、決定に使用される。更に追加して、或いは、代わりに、サービス品質又は他の送信要求トリガに基づき決定が行われる。
【００１３】
もちろん、本開示は、上述した特徴及び利点に限定されない。当業者は、以下の詳細な説明及び添付の図面から追加の特徴及び利点を認識するであろう。
【図面の簡単な説明】
【００１４】
【図１】本開示に従い構成された無線通信ネットワークの一実施形態のブロック図。
【図２】無線通信ネットワークで動作する様に構成されたネットワークノード及び無線デバイスの詳細例のブロック図。
【図３】無線通信ネットワークで動作する無線デバイスに対してネットワークノードにより実行される、動的スケジューリング及び受信機帯域幅適応化の１つ以上の実施形態を示すフロー図。
【図４】無線通信ネットワークで動作する無線デバイスに対してネットワークノードにより実行される、動的スケジューリング及び受信機帯域幅適応化の１つ以上の実施形態を示すフロー図。
【図５】例えば、デバイスに対してネットワークにより実行されたスケジューリング帯域幅変更を補完するために、ネットワーク制御に応答して無線デバイスにより実行される、動的受信機帯域幅適応化の一実施形態を示すフロー図。
【図６】一実施形態によるフレキシブルな帯域幅割り当て及び適応化を示す図。
【図７】ネットワークノードの動作方法の一実施形態のフロー図。
【図８】無線デバイスの動作方法の一実施形態のフロー図。
【図９】２つ以上の受信機帯域幅間の動的再構成をサポートする、構成可能な受信機回路の一実施形態のブロック図。
【発明を実施するための形態】
【００１５】
図１は、無線デバイス１２に１つ以上の通信サービスを提供するために、無線デバイス１２と通信可能に接続する様に構成される無線通信ネットワーク１０の例示的な実施形態を示している。一例として、無線通信ネットワーク１０（ネットワーク１０）は、無線デバイス１２にインターネット又は他のパケットデータ接続性を提供する。より詳しくは、ネットワーク１０及び無線デバイス１２は、本開示のフレキシブルなスケジューリング帯域幅割り当て及び省電力動作に従い動作する。
【００１６】
簡略化した図１によると、ネットワーク１０は、無線アクセスネットワーク（ＲＡＮ）１４と、関連付けられたネットワーク（ＮＷ）インフラストラクチャ１６と、を有する。ＮＷインフラストラクチャは、例えば、モビリティ管理及びＲＡＮ１４へのルーティングインタフェースを提供すると共に、データ処理、スイッチング、格納機能を有する。ネットワークインフラストラクチャ１６は、例えば、１つ以上のネットワーク機能（ＮＦ）又はアプリケーションサービスを提供する、クラウド実行環境１８と通信可能に接続し、さらに、１つ以上のデータセンタ２０に接続し得る。さらに、２つ以上のＲＡＮ１４や、２種類以上の無線アクセス技術（ＲＡＴ）が含まれ得る。
【００１７】
幾つかの実施形態において、ネットワーク１０は、本開示においては"ＮＲ"ネットワークとしても参照する、所謂、"５Ｇ"ネットワークを含み、"ＮＲ"は、"ニューレディオ"を示している。補足的な実装によると、ネットワーク１０は、新たなスペクトラムを主なターゲットとする新たな無線アクセス技術と組み合わせた、既存スペクトラムのＬＴＥの進化版を示している。５Ｇ実装のネットワーク１０は、アクセス／バックフォール統合、デバイス間通信、フレキシブル複信、フレキシブルなスペクトラム利用、マルチアンテナ送信、ウルトラリーンデザイン、及び、ユーザ／制御データ分離を、鍵となる技術要素として含む。ここで、ウルトラリーンデザインは、ユーザデータの配信に直接関係しない総ての送信の最小化を意味し、ＲＡＮ１４は、１つ以上の狭い、動的に割り当て可能なアンテナビームを介してのユーザデータの配信のために、ビームフォーミングに強く依存する様に構成され得る。
【００１８】
自由度及び寛容度の他のポイントは、無線デバイス１２（デバイス１２）に適用される。まず、ネットワーク１０は、潜在的に多くのデバイス１２をサポートし、様々なデバイス１２は、異なるタイプであり、異なるタイプの通信サービスを行い得る。例えば、モバイルブロードバンド（ＭＢＢ）サービスのために構成されたデバイス１２は、ネットワーク１０を介して配信される映画、音楽、及び、他のマルチメディアコンテンツにアクセスする個人により使用される。一方、組み込み動作のために構成されたデバイス１２は、ユーザインタフェースを有さず、低電力・低レートのマシン型通信（ＭＴＣ）送受信のみを行い得る。制限するのではなく一例として、デバイス１２は、スマートフォン、フィーチャフォン、無線モデム若しくは他の無線ネットワークアダプタ、ラップトップコンピュータ、タブレット若しくは他のモバイルコンピューティングデバイス、センサ、アクチュエータ、リレイ、又は、ネットワーク１０にアクセスする様に構成された任意の他の無線通信装置であり、ネットワーク１０がサポートするＲＡＴの任意の１つ以上に従い動作する。さらに、デバイス１２は、モバイルデバイスであり、或いは、固定的な位置に設置されて動作し得る。
【００１９】
図２は、デバイス１２と、本開示のネットワーク側の態様をサポートする様に構成されたネットワークノード３０の例示的な実装の詳細を示している。ネットワークノード３０は、１つ以上のＲＡＴに従い１つ以上のデバイス１２と無線通信するための通信インタフェース回路３２を含み、通信インタフェース回路３２は、無線周波数送受信機回路３４、つまり、１つ以上の無線周波数送信機及び受信機を含んでいる。さらに、少なくとも１つの実施形態において、通信インタフェース回路３２は、例えば、イーサネット、又は、他のイントラノードインタフェースの様な、ネットワーク１０の１つ以上の他のノードと通信するための１つ以上のネットワークインタフェースを含み、無線周波数回路を含まないかもしれない。その様な実施形態において、ネットワークノード３０は、例えば、無線周波数回路を有する他のノードを介して、デバイス１２と間接的に通信し得る。
【００２０】
ネットワークノード３０は、通信回路３２と動作可能に関連付けられる処理回路３６も含む。処理回路３６は、プログラムされる回路、固定的な回路、或いは、プログラムされる回路と固定的な回路の組み合わせを含む。例示的な実施形態において、処理回路３６は、１つ以上のマイクロプロセッサ、デジタル信号プロセッサ（ＤＳＰ）、フィールドプログラマブルゲートアレイ（ＦＰＧＡ）、アプリケーション特定集積回路（ＡＳＩＣ）又は他のデジタル処理回路を含む。
【００２１】
少なくとも１つの実施形態において、処理回路３６は、ネットワークノード３０の格納部３８に格納された１つ以上のコンピュータプログラム４０に含まれるコンピュータ命令の実行に基づき、少なくとも部分的に構成される。格納部３８は、本開示に従うネットワークノード３０の動作に関連する構成データ４２の１つ以上のアイテムも格納し得る。格納部３８は、例えば、ソリッドステートドライブ（ＳＳＤ）、ＦＬＡＳＨ、ＤＲＡＭ、ＳＲＡＭ等のコンピュータ可読記憶媒体の１つ以上を含む。一実施形態において、格納部３８は、コンピュータプログラム４０の長期格納を提供し、処理回路３６の動作のためのワーキングメモリをさらに提供する。
【００２２】
図２は、デバイス１２の例示的な実装の詳細も示している。デバイス１２は、１つ以上のＲＡＴに従いネットワーク１０と無線通信するための通信インタフェース回路５２を含み、通信インタフェース回路５２は、無線周波数送受信機回路５４、つまり、１つ以上の無線周波数送信機及び受信機を含んでいる。
【００２３】
デバイス１２は、通信回路５２と動作可能に関連付けられる処理回路５６も含む。処理回路５６は、プログラムされる回路、固定的な回路、或いは、プログラムされる回路と固定的な回路の組み合わせを含む。例示的な実施形態において、処理回路５６は、１つ以上のマイクロプロセッサ、デジタル信号プロセッサ（ＤＳＰ）、フィールドプログラマブルゲートアレイ（ＦＰＧＡ）、アプリケーション特定集積回路（ＡＳＩＣ）又は他のデジタル処理回路を含む。
【００２４】
少なくとも１つの実施形態において、処理回路５６は、デバイス１２の格納部５８に格納された１つ以上のコンピュータプログラム６０に含まれるコンピュータ命令の実行に基づき、少なくとも部分的に構成される。格納部５８は、本開示に従うデバイス１２の動作に関連する構成データ６２の１つ以上のアイテムも格納し得る。格納部５８は、例えば、ソリッドステートドライブ（ＳＳＤ）、ＦＬＡＳＨ、ＤＲＡＭ、ＳＲＡＭ等のコンピュータ可読記憶媒体の１つ以上を含む。一実施形態において、格納部５８は、コンピュータプログラム６０の長期格納を提供し、処理回路５６の動作のためのワーキングメモリをさらに提供する。
【００２５】
上記を念頭に、ネットワークノード３０は、所定の無線デバイス１２のスケジューリング帯域幅（ＢＷ）を示す、或いは、構成するシグナリングの送信を開始、或いは、送信する様に構成される。ネットワークノード３０は、さらに、スケジューリングＢＷの変更をシグナリングする様に構成され、例えば、信号受信のためにデバイス１２が使用する第１及び第２受信機ＢＷを示す様に構成される。一例として、ネットワークノード３０は、デバイス１２が使用する第１受信機ＢＷを示し、その後、デバイス１２が使用する第２受信機ＢＷを示す。
【００２６】
さらに、ネットワークノード３０又はネットワークの他のエンティティは、デバイス１２のＢＷ構成変更、例えば、第１受信機ＢＷから第２受信機ＢＷへの変更、或いは、第２受信機ＢＷから第１受信機ＢＷに戻す変更、を制御するために必要なタイマパラメータを判定する様に構成される。ここで、用語"受信機ＢＷ"及び"スケジューリングＢＷ"が使用される。スケジューリングＢＷは、ＮＷノードにより設定され、無線デバイスにシグナリングされる。無線デバイスは、スケジューリングＢＷに基づきその受信機ＢＷを、例えば、同じＢＷに設定する。これらＢＷは、無線デバイスが、例えば、制御チャネルのために走査するリソースブロックの数で定義され得る。ここで、制御情報がより小さなＢＷで提供され、スケジュールされたＢＷのサイズが、無線デバイスに提供されるサービス種別、負荷、能力に依存し得ることは通常である。それは、ＤＲＸがアクティブのとき、デバイス１２での受信機ＢＷ構成変更のために使用されるタイマパラメータを構成、さもなければ示すことにより補足される。
【００２７】
本開示のこれら態様の補足により、デバイス１２は、受信機の消費電力を低減させる構成パラメータを使用する様に構成され得る。特に、デバイス１２は、現在のユーザシナリオ及びデバイスの必要性に基づき、データ及び／又はレイヤ１／レイヤ２制御の受信に十分な受信機ＢＷのみを使用することにより、その受信機の消費電力を低減する。
【００２８】
ここで、"ユーザシナリオ"は、進行中の通信セッションの数及び／又は特性により定義され得る。通信セッションの特性は、データサイズ若しくは量、サービス種別、又は、遅延、最小データレートの様な、送信される情報及び任意の関連するサービス品質（ＱｏＳ）パラメータで定義され得る。デバイスの必要性は、例えば、消費電力、処理電力、ＲＦ能力、バッテリ状態等を含み得る。
【００２９】
シナリオの一例において、デバイス１２は、第１受信機ＢＷで動作し、その後、例えば、ネットワーク１０からのシグナリングに応答して、より広い第２受信機ＢＷに再構成する。デバイス１２は、第１受信機ＢＷを使用する場合と比較して、デバイス１２へのより多いデータ量又はより高いデータレートの送信を可能にするために第２受信機ＢＷに再構成され得る。
【００３０】
例えば、高次レイヤ媒体プロトコルの結果として、ネットワーク１０を第２スケジューリング帯域幅に変化させるデータの少なくとも一部分を遅延させることも可能であり、デバイス１２は、ネットワーク１０により遅延されたデータの送信前に、第１受信機帯域幅に戻ることができる。しかしながら、少なくとも、遅延されたデータが第１受信機帯域幅に含まれるスペクトラムで送信される場合、デバイス１２は、依然、遅延されたデータをその送信に応じて受信して処理でき、デバイス１２は、有利に、第１受信機帯域幅の受信機回路の動作に関連付けられた、低電力又は低複雑度の受信機設定を使用して、そうし得る。
【００３１】
特に、これらの"遅い"パケットは、デバイス１２によりＤＲＸタイマが終了する前に処理され、第１受信機ＢＷに関連付けられた制限された能力が、その処理には適切である。さらに、高要求セッション及び低要求セッションの両方が同時に実行される場合、低要求セッションの動作への遷移はスムーズになる。更なる利点は、送信がＢＷ及び時間の両方で制限される場合、リソースが節約されることである。
【００３２】
図３は、ネットワークノード３０により実行される方法３００の一実施形態を示している。方法３００は、ネットワークノード３０が、特定のデバイス１２への送信のためにバッファしているデータの量又はタイプに基づき、デバイス１２に関して第２受信機ＢＷが必要であるかを判定する（ブロック３０２）ことを含む。ここで、ネットワークノード３０は、デバイス１２の"サービング"ノードとして動作し、無線送受信機回路、デバイス１２へのスケジュールされたデータ送信を実行するスケジューリングプロセッサを含み、或いは、ネットワークノード３０は、デバイス１２にサービス提供する無線ノードと通信可能に接続され得る。
【００３３】
第２スケジューリング帯域幅が必要との判定に応答して、ネットワークノード３０は、第２スケジューリング帯域幅に適合させるために、デバイス１２の受信機帯域幅の再構成（ブロック３０４）を開始する。つまり、ネットワークノード３０は、デバイス１２での受信（受信機）帯域幅の再構成を開始させるメッセージ、情報要素、シグナリング若しくはトリガを送信し、その結果、デバイス１２は、第１受信機帯域幅での動作から第２受信機帯域幅での動作に変更する。
【００３４】
この例において、第２スケジューリング帯域幅は、デバイス１２に現在関連付けられている第１スケジューリング帯域幅（デバイス１２では第１受信機帯域幅に適合されている）より広く、第１スケジューリング帯域幅及び第２スケジューリング帯域幅は、それぞれ、帯域幅を定義、つまり、スケジュールされた送信に使用できる帯域幅の上限を定義し、そこでは、デバイス１２へのスケジューリング送信に使用されることが意図されたスケジュールされた帯域幅の一部のみが実際に使用されることも生じ得る。この処理は、デバイス１２の受信機回路の対応する再構成を開始する有利なメカニズムと、ある帯域幅から別の帯域幅への変更を計時又は管理する有利なメカニズムと共に、デバイス１２に、必要ベースでより多くの送信リソースを選択的かつ動的に割り当てるものと理解され得る。
【００３５】
図４は、例えば、ネットワークノード３０により実行される処理方法４００を示している。方法４００は、例えば、方法３００に含まれる機能のスーパーセットを含み、デバイス１２へのスケジューリング送信のための第１スケジューリング帯域幅で動作する（ブロック４０２）ことを含む。ここで、第１スケジューリング帯域幅で"動作"するとは、デバイス１２への送信に、最大で第１帯域幅を使用するとの意味であり、第１帯域幅は、リソースブロック数又は所定の周波数の他の無線リソースで定義され得る。この例において、ネットワークノード３０は、エアインタフェースを介してデバイス１２に通信可能に接続される基地局又は他の無線アクセスポイントであり、データは、ネットワークノード３０によるエアインタフェースを介する送信により、デバイス１２への配信のためにネットワークノード３０に入力される。
【００３６】
方法４００は、さらに、デバイス１２へのスケジューリング送信のために第１スケジューリング帯域幅から第２スケジューリング帯域幅に変更することを決定する（ブロック４０４）ことを含む。ネットワークノード３０は、デバイス１２に送信されるデータの量又はタイプに応じて決定を行う。例えば、ネットワークノード３０は、送信待ちのデータ量が定義されたバッファ閾値を超えたことに応答して帯域幅変更をトリガし得る。追加して、或いは、代わりに、ネットワークノード３０は、入力される、デバイス１２への送信のためのデータレート、デバイス１２に送信されるデータサイズ（例えば、パケットサイズ）、デバイス１２に送信されるデータの特性又はタイプ、デバイス１２に送信されるデータに関連付けられた１つ以上の品質又は送信要求の任意の１つ以上に応答して、帯域幅変更をトリガし得る。
【００３７】
方法４００は、さらに、決定に応答して再構成シグナリングを送信する（ブロック４０６）ことを含み、再構成シグナリングは、デバイス１２にその受信機帯域幅を第２スケジューリング帯域幅に適合させる。さらに、方法４００は、その後、無線デバイスへのスケジューリング送信のために、ネットワークノード３０が第２スケジューリング帯域幅で動作することを含む。第２スケジューリング帯域幅で動作することは、デバイス１２へのスケジューリング送信のために第２帯域幅内、或いは、第２帯域幅に渡る無線リソースを使用することを意味する。第２帯域幅が第１帯域幅より広い場合、第２帯域幅への変更は、第１帯域幅と比較して、増加するスループット、又は、拡張された送信能力若しくは容量を提供することと理解される。
【００３８】
図５は、例示的な実施形態による、デバイス１２での動作方法５００を示している。図５に示す動作は、図４のネットワーク側の動作を補足し、デバイス１２が、第１受信機帯域幅でその受信機回路を動作させることと、受信機回路を第１受信機帯域幅から第２受信機帯域幅に変更することの表示の受信を監視することと（ブロック５０２）、を含む。例えば、デバイス１２は、第１帯域幅により定義された無線リソース内の目標とされた制御チャネルシグナリングの受信を監視する。
【００３９】
方法５００は、さらに、（受信機帯域幅を再構成する）表示の受信に応答して、受信機回路が第２受信機帯域幅で動作する様に再構成する（ブロック５０４）ことと、第１受信機帯域幅に戻す更なる表示の受信と、第２受信機帯域幅で動作している間においてデータ受信の度に開始若しくは再開される受信不活性化タイマの終了と、の少なくとも１つまで、デバイス１２の受信機回路を第２受信機帯域幅で動作させる（ブロック５０６）ことと、を含み、ここで、"データ受信"は、デバイス１２をターゲットしたデータの受信を意味する。
【００４０】
これら及び他の利点のより良い理解のために、少なくとも第１受信機ＢＷ及び第２受信機ＢＷでの受信をサポートするデバイス１２の受信及び帯域幅再構成のある一態様を示す図６を参照する。少なくとも第１受信機ＢＷ及び第２受信機ＢＷのサポートと、そのサポートの詳細は、デバイス能力を示し、１つ以上の実施形態において、デバイス１２は、異なる受信機帯域幅のサポートに関する能力情報を送信する様に構成される。一例において、ＢＷ能力情報は、ネットワーク１０に接続するデバイス１２に関連付けられたコネクションシグナリングの部分として、デバイス１２からネットワーク１０に送信される。それに応じて、デバイス１２の受信機ＢＷを制御又は再構成する際、ネットワーク１０、例えば、ネットワークノード３０は、デバイスの能力情報を考慮する。
【００４１】
続けて図６に示す詳細において、ネットワークノード３０は、第１制御チャネル、例えば、ＰＤＣＣＨ又はＮＲ−ＰＤＣＣＨを受信して復号するためにデバイス１２が使用するものとして、第１受信機ＢＷでデバイス１２を構成する。ネットワークノード３０は、第１ＢＷ及び第２ＢＷの制御チャネルの監視を制御するための対応するタイマと共に、より大きい又は広い第２ＢＷでデバイス１２を構成（６００）する。
【００４２】
制御チャネルは、第１受信機ＢＷ内でデバイス１２に割り当てられたデータを示し得る。この場合、例えば、ＰＤＳＣＨ又はＮＲ−ＰＤＳＣＨといったデータチャネルで、ネットワーク１０により送信されるデータは、ＰＤＣＣＨ（図６の"１ａ"を参照）と同じスロット、サブフレーム又はＴＴＩに割り当てられ得る。ネットワークノード３０がデバイス１２へのより大きなデータ量を割り当てる必要がある場合、ネットワークノード３０は、受信のためのより広いＢＷを可能にするため、第１受信機ＢＷ内のＰＤＣＣＨで"ページング"し得る。この情報は、ＰＤＳＣＨの媒体アクセス制御（ＭＡＣ）又は無線リソース制御（ＲＲＣ）メッセージとして送信、或いは、ＰＤＣＣＨを使用してネットワーク１０により直接送信され得る。
【００４３】
より大きな第２ＢＷが可能になると、デバイス１２は、より大きなＢＷを使用してデータチャネル（例えば、ＰＤＳＣＨ又はＮＲーＰＤＳＣＨ）でデータを受信できる。より大きなＢＷを使用してデータチャネルを受信するために必要な制御情報は、関連する制御チャネル６０２（例えば、ＰＤＣＣＨ又はＮＲ−ＰＤＣＣＨ）の使用に基づき、第１スケジューリングＢＷを使用する時間位置より前、或いは、より大きな受信機ＢＷが可能になった後、のいずれかで送信（６００）され得る。ネットワーク１０は、デバイス１２が第１受信機ＢＷから第２受信機ＢＷに再構成する時間を与えるため、第２ＢＷのデータのスケジュールされた送信の開始前に遅延を与えるための遅延タイマτを使用し得る。遅延は、１つの送信時間間隔（ＴＴＩ）又はスケジューリングに関する他の関連する時間単位を超えて構成され得る。例えば、少なくとも１つの実施形態において、遅延タイマτは、１〜４ＴＴＩの遅延値を有する。
【００４４】
幾つかの実施形態において、第１受信機ＢＷは、第２受信機ＢＷの中央部を構成する。しかしながら、構成はそれに限定されず、他の第１受信機ＢＷ−第２受信機ＢＷの配置が考えられる。より一般的な定義として、第１ＢＷと第２ＢＷが同じ中心周波数を有する必要はなく、つまり、ｆｃ１≠ｆｃ２とでき、ここで、ｆｃ１は第１ＢＷの中心周波数であり、ｆｃ２は、第２ＢＷの中心周波数である。上述した議論から、他のシナリオ及びデバイスの必要性により、第３ＢＷ、第４ＢＷも存在し、同様の方法で割り当てられ得る。
【００４５】
この様に、デバイス１２に関して、ネットワーク１０は、デバイス１２に送信されるデータの量及び／又は特性に応じて、２つ以上のＢＷからＢＷを選択又は再選択することにより、デバイスのためにネットワーク１０が使用するスケジューリングＢＷを動的に適応し得る。それに応じて、デバイス１２は、ネットワーク１０から入力される再構成トリガ又はシグナリングに応答して、２つ以上の受信機ＢＷから選択することに基づき、その受信機帯域幅をスケジューリングＢＷに適合する様に動的に適応し得る。
【００４６】
図７は、１つ以上の実施形態において、ネットワーク側で実行される、動的スケジューリング及び受信機帯域幅制御の方法７００を示すフローチャートと、補足的な構成を示している。方法７００は、上述した方法４００の例示的な実装として理解され、ネットワークノード３０がデバイス１２の"サービングネットワークノード"として動作することを含み、例えば、ネットワークノード３０は、ネットワーク１０とデバイス１２との間の無線接続性を提供するｅノードＢ又は他のアクセスポイントである。
【００４７】
方法７００は、デバイス能力情報をネットワークノード３０が受信する（ブロック７０２）ことを含み、図７において、デバイス１２は、"ＵＥ"として参照される。能力情報は、情報の複数のアイテムを含み得るが、デバイス１２の帯域能力に関する情報の１つ以上のアイテムを少なくとも含む。方法７００は、さらに、デバイスを第１受信機ＢＷに従い動作させるために、ネットワークノード３０が、第１スケジューリングＢＷでデバイス１２を構成し、デバイスを第２受信機ＢＷに従い動作させるために、ネットワークノード３０が、第２スケジューリングＢＷでデバイス１２を構成する（ブロック７０４）ことを含む。
【００４８】
例示的なケースにおいて、第１受信機ＢＷは、第２受信機ＢＷより小さく、よって、より少ないネットワークリソースを使用し、より大きな第２受信機ＢＷの使用と比較して、より少ないデバイス１２の消費電力及び／又はより低い処理オーバヘッドを要求し得る。ここで、任意時刻において、デバイス１２は、１つの受信機ＢＷ（第１又は第２）で動作、例えば、デバイス１２は、第１ＢＷ及び第２ＢＷの１つを選択し、受信機回路をそれに応じて構成することが理解される。
【００４９】
ネットワークノード３０は、第１受信機ＢＷに従いデバイス１２のためにデータをスケジュールし（ブロック７０６）、その様なスケジューリングは、ネットワーク１０が、デバイス１２に送信される下りリンクデータを受信又は取得することに応じて、繰り返し、或いは、必要ベースで実行され得る。その様な処理の一部として、ネットワークノード１０は、第２ＢＷを使用すべきか、例えば、より大きなデータ量及び／又はより高いデータレートを使用すべきかを判定するために、デバイス１２への送信のために入力されるデータを監視する。特定例において、ネットワークノード３０は、デバイス１２のための送信バッファのデータが、第２受信機ＢＷを必要とするかを判定する（ブロック７０８）。必要ではないと（ブロック７０８でＮＯ）、ネットワークノード３０は、第１ＢＷから第２ＢＷへのデバイス１２の再構成を開始しない。必要であると（ブロック７０８でＹＥＳ）、ネットワークノード３０は、第１ＢＷから第２ＢＷへのデバイス１２の再構成を開始する（ブロック７１０）。
【００５０】
再構成処理は、ネットワークノード３０が第２ＢＷでデバイス１２に向けてスケジューリング下りリンクデータを送信する前の、ネットワークノード１０によるプログラムされた又は定義された遅延を含む。つまり、ネットワークノード３０は、第２スケジューリングＢＷとしても参照される第２受信機ＢＷに従いデバイス１２にスケジューリングデータの送信を開始する前に、τ１として示され得る期間だけ待機する。遅延後、ネットワークノード３０は、デバイス１２へのスケジューリングデータの送信を開始し（ブロック７１２）、その様なスケジューリング動作は、より大きな第２受信機ＢＷを使用する。第２受信機ＢＷは、第２受信機ＢＷが使用されていない、つまり、ネットワークノード３０が第２ＢＷを必要とするデータがバッファにないと判定し（ブロック７１４）、デバイス１２へのスケジューリングデータ送信のために第１ＢＷの利用に戻すと判定するときを示す時間τ２に関連付けられ得る。
【００５１】
上述した様に、ブロック７０２で受信するデバイス能力情報は、コネクション設定のための初期コネクションシグナリングの間に受信され得る。追加して、或いは、代わりに、デバイス能力情報は、ハンドーバにおいて、より一般的には、モビリティイベントに関連して、デバイス１２から受信し得る。より広義に、能力情報は、少なくとも、デバイス１２の受信機帯域幅能力を示す。一例として、その様な１つ以上の実施形態において、能力情報は、デバイス１２が使用できる２つ以上のＰＤＣＣＨ監視ＢＷを示す。
【００５２】
方法７００のブロック７０４は、少なくとも幾つかの実施形態においてオプションのステップである。例えば、関連パラメータは、デバイス１２に予め構成され、或いは、デバイス１２に既知である。構成メッセージがデバイス１２に送信される場合、構成メッセージは、第１及び第２ＰＤＣＣＨ監視ＢＷを示す、或いは、含み得る。例えば、ネットワークノード３０は、（無線）リソースブロックの数と、監視する、開始又は中心周波数／リソースブロックを示す。少なくとも１つの実施形態において、ネットワークノード３０は、上述した様に、ＰＤＣＣＨ監視に関するタイマについての情報も送信する。
【００５３】
一例として、方法７００において、１つ以上の実施形態により構成されたネットワークノード３０は、柔軟に、或いは、動的に調整されるスケジューリングＢＷをデバイス１２にサービス提供する様に構成され得る。デバイス１２が第1受信機ＢＷに従い動作し、ネットワークノード３０が、第１受信機ＢＷをデバイス１２へのスケジューリングデータ送信のスケジューリングＢＷとして使用することが想定され得る。しかしながら、ネットワークノード３０は、デバイス１２へのスケジューリングデータのための、より大きな第２ＢＷの必要性が有るかを有利に監視する。そうであると、ネットワークノード３０は、例えば、表示を第１ＢＷのＰＤＣＣＨ又はＰＤＳＣＨで送信することによるといった、第１ＢＷの制御又はデータチャネルで表示を送信し、デバイス１２にＢＷ再構成を示す。
【００５４】
ネットワークノード３０は、第２ＢＷを使用してのデバイス１２へのスケジューリングデータ送信を開始する前に、プログラムされた又は定義された遅延だけ観察する。遅延は、デバイス１２がその受信機帯域幅を再構成する、或いは、第２受信機ＢＷにより動作する準備のための時間を可能にする。より大きなＢＷがデバイス１２にスケジュールする必要がもはやなくなると、ネットワークノード３０は、第１スケジューリングＢＷの使用に戻る。しかしながら、第１スケジューリングＢＷから第２スケジューリングＢＷへの変更の際、ネットワークノード３０は、第１ＢＷに戻った後、かつ、第１ＢＷでデバイス１２へのスケジューリングデータを開始する前に、定義された遅延期間だけ待機し得る。第２ＢＷから第１ＢＷに戻る変更の際のスケジューリング再開遅延τ２は、ネットワークノード３０が第１ＢＷから第２ＢＷに変更する際に使用するスケジューリング再開遅延τ１と同じ又は異なる。１つの可能なアプローチは、第２ＢＷが現在使用されているものとすると、ネットワークノード３０が、第１ＢＷで十分と判定し、ネットワークノードが第１ＢＷのみの使用を開始することを含む。この時点において、無線デバイスは、依然、第２受信機ＢＷを使用し、第２ＢＷが第１ＢＷを完全に含む場合、これは可能である。無線デバイスは、時間期間でスケジュールされたかを判定し、非活性化タイマが終了すると、無線デバイスは、受信機ＢＷを、例えば、第２ＢＷのある部分、或いは、第２ＢＷより狭い他のＢＷである第１ＢＷに低減する。ネットワークノードは、無線デバイスにＢＷ変更の時間を与えるため、時間τ２秒だけ送信を停止し得る。
【００５５】
別の例において、デバイス１２が第１受信機ＢＷに従い動作し、ネットワークノード３０が、デバイス１２へのスケジューリングデータ送信のために第１ＢＷを使用する。ネットワークノード３０は、例えば、大量のデータ又は高速データを送信するために、より大きな第２受信機ＢＷにデバイス１２を再構成するべきかを判定する。ネットワークノード３０は、デバイス１２に再構成を表示する、或いは、再構成を開始させる。ネットワークノード３０は、その後、第２ＢＷを使用してデバイス１２へのスケジューリングデータ送信を開始するが、デバイス１２での再構成を可能にするため、第２ＢＷでのスケジュールされた送信の開始前に待機し得る。
【００５６】
ネットワークノード３０は、その後、第２ＢＷがもはや必要ないかを判定し、第１ＢＷの使用に戻る。戻ることは、デバイス１２での再構成を考慮し、デバイス１２に対する第１ＢＷでのスケジュールされた任意のデータ送信を開始する前の遅延を含み、ネットワークノード３０は、デバイス１２に戻ることを通知し得る。
【００５７】
図８は、例示的な実施形態による、デバイス１２での処理方法８００を示している。方法８００は、例えば、コネクション設定、ハンドオーバにおいて、デバイス１２（図においては"ＵＥ"と表示）が、ネットワーク１０にデバイス能力情報を送信することを含む（ブロック８０２）。能力情報は、デバイス１２の受信機帯域幅能力を示し、例えば、リソースブロックの観点で表現され得る。"リソースブロック"は、例えば、周波数軸に沿った１２又は１６リソース要素の様な"リソース要素"のある数を含み、"リソース要素"は、無線送信で可能な最小変調構造を含む。特に、"リソース要素"は、特定ＯＦＤＭシンボル時間の特定ＯＦＤＭサブキャリアであり得る。
【００５８】
方法８００は、さらに、例えば、第１及び第２受信ＢＷと、関連するタイマを示す、構成情報をデバイス１２が受信することを含む（ブロック８０４）。デバイス１２は、構成された時間の瞬間において、第１ＢＷのＰＤＣＣＨ又は他の制御チャネルを監視する（ブロック８０６）。第１ＢＷのＰＤＣＣＨ、ＰＤＳＣＨ又は他のデータチャネルから復号された情報が、デバイス１２を第２ＢＷでの受信のために再構成すべきことを示している場合（ブロック８０８でＹＥＳ）、デバイス１２は、その無線受信機を、第２受信機ＢＷを使用してのＰＤＣＣＨ監視をサポートする様に再構成する（ブロック８１０）。再構成は、タイマ（τ１及び／又はτ２）内で行われ、タイマは、ネットワークノード３０により構成され、構成メッセージによりデバイス１２により受信される、或いは、予め定義され、或いは、固定値であり得る。この様に、無線デバイスは、例えば、第２受信機ＢＷでＮＲ−ＰＤＣＣＨ及びＮＲ−ＰＤＳＣＨを監視し復号できる様に、タイマτ１内で再構成する。
【００５９】
方法８００は、構成された時間インスタンス、例えば、構成されたサブフレーム又はＴＴＩにおいて、デバイス１２が第２受信機ＢＷ内のＰＤＣＣＨを監視することで継続する（ブロック８１２）。例えば、第１ＢＷ内でのみ、或いは、データを全く受信しないといった、より広いＢＷでデータを受信しなくなると、デバイス１２は、第１非活性化タイマ（例えば、ネットワークノード３０により構成される）を開始する。タイマの終了により（ブロック８１４）、デバイス１２は、第１受信機ＢＷに戻り（ブロック８１６）、第１受信機ＢＷのＰＤＣＣＨの監視を開始する（ブロック８０６）。
【００６０】
図６に戻り、本開示は、ＤＲＸ動作及び関連する詳細を考慮することが理解される。例えば、デバイス１２は、ＤＲＸサイクルと共に構成され、"オン期間"の間、第１受信機ＢＷのＰＤＣＣＨを監視し得る。第２受信機ＢＷに再構成すべきことを示す再構成トリガ又はメッセージを受信しない場合、デバイス１２は、構成されたＤＲＸサイクルに従い、第１受信機ＢＷ内における動作／監視を継続する。しかしながら、第１ＢＷのＰＤＣＣＨ又はＰＤＳＣＨで再構成トリガ又はメッセージを受信することに応答して、デバイス１２は、第２受信機ＢＷに従い動作する様にその受信機を再構成する。つまり、デバイス１２は、第２ＢＷにおいて、デバイス１２をターゲットとするデータ及び／又は制御情報を監視する様に再構成する。
【００６１】
デバイス１２は、第２ＢＷでの動作のタイムアウトのために、第１ＤＲＸ非活性化タイマを使用し、第１ＤＲＸ非活性化タイマは、各受信イベントの後に開始又は再開される。受信イベントは、第１ＢＷ内、或いは、第２ＢＷの一部分内で生じ得る。タイマが終了するまで、デバイス１２は、第２ＢＷでの監視を継続するが、第１ＤＲＸ非活性化タイマの終了により、第１ＢＷ、或いは、第２ＢＷより狭い他のＢＷに戻る。デバイス１２は、その後、第２ＤＲＸ非活性化タイマに従い、第１ＢＷでの監視を実行する。この様に、デバイス１２は、第１非活性化タイマで定義される期間の間、第２ＢＷを監視し、その間に受信が生じないと、デバイス１２は、第１ＢＷに戻り、第２非活性化タイマで定義される期間の間、当該ＢＷを監視する。第２非活性化タイマの間に受信が生じないと、例えば、ＰＤＣＣＨの受信が生じないと、デバイス１２は、予め定義されたＤＲＸサイクルにより定義される次の受信時間までその受信機をスリープモードにし得る。第１非活性化タイマ及び第２非活性化タイマのタイマ構成は、サービングネットワークノードによりデバイス１２に提供され得る。
【００６２】
デバイス１２により実行される、その受信機ＢＷの再構成のための特定のメカニズム又は動作は、デバイス１２に含まれる受信機回路の実装の詳細にある程度依存する。図９は、１つ以上の実施形態によるその様な回路を示し、図９に示す受信機回路６８は、図２のデバイス１２のＲＦ送受信機回路５４に含まれ得る。
【００６３】
受信機回路６８は、１つ以上の受信機アンテナ７０に関連付けられ、受信に使用される周波数帯域でのフィルタリングに主に使用される要素を備えたアナログフロントエンド（ＦＥ）７２と、低雑音増幅のための低雑音増幅器（ＬＮＡ）と、受信周波数をベースバンドにダウンコンバートするためのダウンコンバートミキサ７４及び局所発振器７６と、を有し、その後のフィルタ７８及びアナログ・デジタル変換器（ＡＤＣ）７８により、アンテナが受信した信号に対応するデジタルベースバンド信号のサンプルが得られる。フィルタ７８による更なるフィルタリングによりフィルタされたベースバンド信号がベースバンド（ＢＢ）プロセッサ８４に提供される。
【００６４】
これらの回路要素の総て又は少なくとも幾つかは、帯域幅の再構成が可能であり、これらの１つ以上は、より広い帯域幅で動作しているときと比較して、より狭い帯域幅で動作しているときには、より少ない電力を消費し、或いは、より少ない処理オーバヘッドを必要とし得る。その後、ネットワークノード３０は、より広いスケジューリングＢＷが必要と判定するまで、より小さいスケジューリングＢＷを有利に使用し、より広いスケジューリングＢＷが必要と判定すると、ネットワークノード３０は、デバイス１２の受信機ＢＷをより小さいＢＷからより広いＢＷに変更するために再構成を開始する。同様に、図２のデバイス１２の処理回路５６の一部分であり得る制御ユニット（ＣＵ）８６は、受信機回路６８の帯域幅をそれに応じて制御する。
【００６５】
デバイス１２がどの様にＢＷを考慮して受信機動作を最適化し得るかの別の例として、第１ＢＷが、サービングネットワークノード及びデバイス１２の全システムＢＷの中心部を含む例を考える。例えば、周波数内で隣接する信号は、例えば、同じセル又は領域の他のユーザにスケジュールされた、サービングネットワークノードの信号であり、デバイス１２により受信される信号と同様のスペクトラル密度を有し得る。サービングＮＷノードのシステムＢＷの外側での潜在的な干渉源は、デバイス１２の第１受信機ＢＷに対して、周波数的に離れていることが道理にかなっている。第１受信機ＢＷの干渉信号は、同じエリア内の他のユーザを対象とする同じセルの信号に限定され得る。ここで、干渉信号は、電力等の点において、デバイスを対象とする所望の信号と同様であり得る。結果、デバイス１２は、デバイス１２のサービングノードによる送信と必ずしも協調する必要がないネットワーク１０の１つ以上の他のノードからの比較的高電力な干渉信号を含み得る、第２ＢＷで動作しているときに必要なブロッキングフィルタにおける急激なロールオフを使用する必要はない。
【００６６】
上記に代えて、或いは、加えて、ブロッキング／干渉信号が周波数的により離れている場合、高い位相ノイズレベルは、第１受信機ＢＷから所定オフセットで受け入れ可能であるので、ＬＯ生成は、デバイス１２での受信機ＢＷ再構成動作の一部といて再構成され得る。第１受信機ＢＷが、サービングＮＷノードシステムのＢＷより非常に小さい場合（１／１０以下）、ＬＮＡ及びミキサを一緒に再構成すると判定し得る。第２受信機ＢＷは、従来の広帯域ＬＮＡ／ミキサトポロジーを使用してデバイス１２で処理され得るが、１つ以上の実施形態において、デバイス１２は、周波数遷移ＬＮＡ／ミキサトポロジー（Ｎパスフィルタとして既知）を使用して第１受信機ＢＷを処理する様に構成される。厳しい選択性要求のため、後者は第２受信機ＢＷに対して使用できないが、ＡＤＣの前の全体の選択性で十分、或いは、少なくとも実質的に寄与し得る。
【００６７】
よって、１つ以上の実施形態において、デバイス１２は、第１受信機ＢＷと第２受信機ＢＷに異なるタイプのＡＤＣ（又は、異なるＡＤＣ構成）を使用する。例えば、デバイス１２は、第２受信機ＢＷにナイキストＡＤＣを使用するが、第１受信機ＢＷにはフィルタリング／オーバサンプリングＡＤＣを使用する（例えば、フィルタリングΔ−Σ変調器ＡＤＣ）。後者の場合、ＡＤＣのフィルタリングは、アナログベースバンド選択性で十分であり、個別のベースバンドアナログフィルタは必要ない。
【００６８】
この様に、デバイス１２の帯域幅構成及び受信機最適化は、適応フィルタ機能と、可能、不可能又はバイパスの選択的なフィルタ機能と、ＡＤＣプロセスの適応的制御と、を含み得る。さらに、ＣＵ８６は、受信機回路６８をある帯域幅での動作とは異なる帯域幅での動作に再構成すると共に、ＬＯ７６を適応化し得る。例えば、ＬＯ７６は、その生成周波数を第１ＢＷの中心に合わせる様に構成され得る。
【００６９】
一例によると、ネットワークノードは、第１帯域幅（ＢＷ）により無線デバイスへのデータをスケジュールし、第１ＢＷより広い第２ＢＷを必要とする無線デバイスのために、バッファされたデータを判定し、無線デバイスに第２ＢＷへの再構成を通知し、第２ＢＷによりＵＥへのデータをスケジュールする様に構成される。ネットワークノードは、さらに、第２ＢＷで動作しているとき、第２ＢＷを必要としない無線デバイスのために、バッファされたデータを判定し、無線デバイスに第１ＢＷへの再構成を通知し、第１ＢＷにより無線デバイスへのデータをスケジュールする様に構成される。第１ＢＷで動作している場合、不連続受信（ＤＲＸ）が適用され得る。ネットワークノードは、無線デバイスと相互作用し、無線デバイスの能力を判定し、無線デバイスの判定した能力から第１ＢＷ及び第２ＢＷの少なくとも１つを判定する様に構成され得る。
【００７０】
一例によると、無線デバイスは、第１帯域幅（ＢＷ）でチャネルを監視し、第１ＢＷより広い第２ＢＷへの再構成のためのシグナリングをネットワークノードから受信し、第２ＢＷでデータを受信するために再構成する様に構成される。無線デバイスは、第２ＢＷで動作している際、第１ＢＷに構成するためのシグナリングをネットワークノードから受信し、第１ＢＷに再構成する様に構成され得る。無線デバイスは、第１ＢＷで動作している際、不連続受信（ＤＲＸ）が適用される様に構成され得る。無線デバイスは、第１ＢＷ及び第２ＢＷの少なくとも１つに関する能力情報をネットワークノードに送信する様に構成され得る。
【００７１】
上記詳細な説明及び添付の図面により提示された本開示の教示の利点を有する、開示された発明の修正及び他の実施形態が、当業者には想定される。よって、本発明は、開示した特定の実施形態に限定されず、修正及び他の実施形態が、本開示の範囲に含まれることが意図される。特定の用語を使用したが、それらは、一般的に使用され、説明目的であり、制限目的ではない。
【図１】
2019531020.tif 000003
【図２】
2019531020.tif 000004
【図３】
2019531020.tif 000005
【図４】
2019531020.tif 000006
【図５】
2019531020.tif 000007
【図６】
2019531020.tif 000008
【図７】
2019531020.tif 000009
【図８】
2019531020.tif 000010
【図９】
2019531020.tif 000011
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
無線通信ネットワークで動作する様に構成された無線通信デバイスであって、
前記無線通信ネットワークのサービングノードから信号を受信する様に構成され、動的に構成可能な帯域幅を有する受信機回路と、
前記受信機回路と動作可能に関連付けられる処理回路であって、前記処理回路は、
第１受信機帯域幅から第２受信機帯域幅に前記受信機回路を変更することの表示の受信を監視することを含む、前記第１受信機帯域幅で前記受信機回路を動作させ、
前記表示の受信に応答して、前記第２受信機帯域幅で動作する様に前記受信機回路を再構成し、
第２受信機帯域幅での動作中において、前記無線通信ネットワークのネットワークノードからシグナリングが入力される度に開始又は再開される受信非活性化タイマの終了まで、前記第２受信機帯域幅で前記受信機回路を動作させる様に構成されている、無線通信デバイス。
【請求項２】
請求項１に記載の無線通信デバイスであって、
前記処理回路は、さらに、前記無線通信ネットワークから帯域幅構成情報を受信する様に構成され、前記帯域幅構成情報は、前記第１受信機帯域幅、前記第２受信機帯域幅、及び、前記受信非活性化タイマの少なくとも１つを示す、無線通信デバイス。
【請求項３】
請求項１又は２に記載の無線通信デバイスであって、
前記受信機回路が前記第１受信機帯域幅で動作している場合、前記処理回路は、前記第１受信機帯域幅に含まれるスペクトラム内で送信される制御チャネル及び／又は関連するデータチャネルを監視する様に構成され、前記受信機回路が前記第２受信機帯域幅で動作している場合、前記処理回路は、前記第２受信機帯域幅に含まれるスペクトラム内で送信される制御チャネル及び／又は関連するデータチャネルを監視する様に構成される、無線通信デバイス。
【請求項４】
請求項１から３のいずれか１項に記載の無線通信デバイスであって、
前記第２受信機帯域幅は、前記第１受信機帯域幅より大きい、無線通信デバイス。
【請求項５】
請求項４に記載の無線通信デバイスであって、
スケジュールされた帯域幅の変更の表示を提示する前記ネットワークノードから、再構成トリガ又はシグナリングを受信するまで、前記第２受信機帯域幅が前記受信機回路の動作に使用され、前記無線通信デバイスは、受信機帯域幅を選択又は再選択する様に構成される、無線通信デバイス。
【請求項６】
請求項５に記載の無線通信デバイスであって、
前記受信非活性化タイマは、前記再構成トリガ又はシグナリングの受信に基づき開始又は再開される、無線通信デバイス。
【請求項７】
請求項１から６のいずれか１項に記載の無線通信デバイスであって、
前記第２受信機帯域幅から前記第１受信機帯域幅に戻す様に変更すると共に、前記処理回路は、少なくとも前記第１受信機帯域幅及び前記第２受信機帯域幅に共通のスペクトラムを使用した送信であって、前記受信機回路が前記第２受信機帯域幅で動作している間に開始された前記送信の受信を継続する様に構成される、無線通信デバイス。
【請求項８】
請求項１から７のいずれか１項に記載の無線通信デバイスであって、
前記受信機回路が前記第１受信機帯域幅で動作している場合、前記受信機回路が前記第２受信機帯域幅で動作している場合と比較して、前記処理回路は、電力低減のために、フィルタリング、アナログ・デジタル変換、及び／又は、局所発振器の設定の１つ以上を制御する様に構成される、無線通信デバイス。
【請求項９】
請求項１から８のいずれか１項に記載の無線通信デバイスであって、
前記無線通信ネットワークに信号を送信する様に構成された送信機回路をさらに備え、
前記処理回路は、前記送信機回路を介して、能力情報を前記無線通信ネットワークに送信する様に構成され、前記能力情報は、受信機帯域幅再構成に関する前記無線通信デバイスの１つ以上の能力を示す、無線通信デバイス。
【請求項１０】
無線通信ネットワークで動作する様に構成されたネットワークノードであって、
無線デバイスへの送信のためにバッファされたデータの量又はタイプに基づき、第２スケジューリング帯域幅が必要かを判定し、前記第２スケジューリング帯域幅に適合させるために、前記無線デバイスの受信機帯域幅の再構成を開始する様に構成された処理回路を備え、
前記第２スケジューリング帯域幅は、前記無線デバイスに現在関連付けられている第１スケジューリング帯域幅より大きく、前記第１スケジューリング帯域幅及び前記第２スケジューリング帯域幅は、それぞれ、前記無線デバイスへのスケジューリング送信に使用される帯域幅を定義する、ネットワークノード。
【請求項１１】
無線通信ネットワークで動作する様に構成されたネットワークノードであって、
前記無線通信ネットワークで動作する無線デバイスと直接的、或いは、間接的に通信する様に構成された通信回路と、
前記通信回路と動作可能に関連付けられる処理回路であって、前記処理回路は、
前記無線デバイスへのスケジューリング送信のために第１スケジューリング帯域幅で動作し、
前記無線デバイスに送信されるデータの量又はタイプに応じて、前記無線デバイスへのスケジューリング送信のために、前記第１スケジューリング帯域幅から第２スケジューリング帯域幅への変更を決定し、
前記決定に応答して、前記第２スケジューリング帯域幅に適合する様に、前記無線デバイスに受信機帯域幅変更させる再構成シグナリングを送信し、
前記無線デバイスへのスケジューリング送信のために前記第２スケジューリング帯域幅で動作する様に構成される、ネットワークノード。
【請求項１２】
請求項１１に記載のネットワークノードであって、
前記処理回路は、前記第１スケジューリング帯域幅から前記第２スケジューリング帯域幅への変更後、かつ、前記第２スケジューリング帯域幅による前記無線デバイスへのスケジューリング送信の前に、定義された期間だけ待機する様に構成される、ネットワークノード。
【請求項１３】
請求項１２に記載のネットワークノードであって、
前記定義された期間は、その受信機帯域幅を再構成する前記無線デバイスに関連付けられた前記無線デバイスでの再構成遅延に対応する、ネットワークノード。
【請求項１４】
請求項１１から１３のいずれか１項に記載のネットワークノードであって、
前記ネットワークノードは、前記第２スケジューリング帯域幅から前記第１スケジューリング帯域幅に戻す、ネットワークノード。
【請求項１５】
請求項１４に記載のネットワークノードであって、
前記ネットワークノードは、前記第２スケジューリング帯域幅の使用がもはや必要ないと判定することに応答して、前記第１スケジューリング帯域幅に戻す、ネットワークノード。
【請求項１６】
請求項１１に記載のネットワークノードであって、
前記無線デバイスに、変更後のスケジュールされた帯域幅の表示を提供する再構成トリガ又はシグナリングを提示する、
１つの帯域幅から別の帯域幅への変更の経時する、或いは、前記変更を管理する機構のタイマの終了に応じて、前記変更後のスケジュールされた帯域幅に戻す、
前記変更後の帯域幅で動作する、
のいずれかにより、前記第２スケジューリング帯域幅での動作から戻る様に構成される、ネットワークノード。
【請求項１７】
請求項１から９のいずれか１項に記載の無線通信デバイスの特徴を実行するステップを含む、無線通信デバイスでの方法。
【請求項１８】
請求項１１から１６のいずれか１項に記載のネットワークノードの特徴を実行するステップを含む、ネットワークノードでの方法。
【請求項１９】
無線通信デバイスのプロセッサで実行されると、前記無線通信デバイスに請求項１７に記載の方法を実行させる命令を含む、コンピュータプログラム。
【請求項２０】
ネットワークノードのプロセッサで実行されると、前記ネットワークノードに請求項１８に記載の方法を実行させる命令を含むコンピュータプログラム。
【国際調査報告】
2019531020.tif 000012
2019531020.tif 000013
2019531020.tif 000014
2019531020.tif 000015